(57)【要約】【課題】「逆潮流あり」機能を持つ電力供給システムを前提として、省エネルギー性、経済性、安全性の効果を発揮できるようにした。【解決手段】商用電源用ラインと負荷３００との間をオンオフするスイッチＳＷ１、発電装置２０１の発電出力ラインと負荷３００との間をオンオフするスイッチＳＷ２、自動運転演算制御装置４５０、消費電力量を計測する消費電力量計測手段４０１と蒸気使用量を計測する蒸気使用量計測手段４０２、及び単独運転検出装置４５２を有し、消費電力量又は蒸気使用量が設定値を計測した時に発電装置２０１を動作状態にし、商用電源ラインと発電出力ラインとの間の交流電圧・周波数・位相の同期を取り、同期した時にスイッチＳＷ２をオン、次に商用電源受電量をゼロ又はマイナス（売電）にする発電出力一定制御を行い、商用停電の時は単独運転検出装置４５２が検出し、スイッチＳＷ１をオフし、発電装置２０１からの電力供給で無停電とする。【選択図】      図１
2006050681.tif 000002
【特許請求の範囲】
【請求項１】
商用電源用ラインと負荷との間をオンオフする第１のスイッチと、
発電装置の発電出力ラインと前記負荷との間をオンオフする第２のスイッチと、
自動運転演算制御装置と、
前記負荷の消費電力量を計測する消費電力量計測手段と、
蒸気使用量計測手段と、
前記自動運転演算制御装置出力が予め設定した発電機起動時間になったとき、又は、前記消費電力量計測手段が消費電力量が増大する方向で、第１の設定値を計測したとき、又は蒸気使用量が第１の設定値を計測したときに、前記発電装置を動作状態にする手段と、
前記発電装置がオンしているときに、前記商用電源ラインと前記発電出力ラインとの間の交流電圧・周波数・位相の同期を合わせるように前記発電装置を制御する位相制御手段と、
前記交流電圧・周波数・位相の同期合わせが実現したときに、前記第２のスイッチをオンし、次に自家発電装置を一定出力に制御し、余剰電力は売電する制御と商用電源が停電となっても前記発電装置から電力を供給する無停電システム制御とを行う手段と、
を具備した受電及び発電機能を有する電力供給装置。
【請求項２】
商用電源用ラインと負荷との間をオンオフする第１のスイッチと、
発電装置の発電出力ラインと前記負荷との間をオンオフする第２のスイッチと、
自動運転演算制御装置と、
前記負荷の消費電力量を計測する消費電力量計測手段と、
蒸気負荷の使用量を計測する蒸気使用量計測手段とを有し、
前記自動運転演算制御装置の出力が予め設定した発電機起動時間になったとき又は前記消費電力量計測手段が消費電力量が増大する方向で、第１の設定値を計測したとき、又は前記蒸気使用量が第１の設定量を計測したときに、前記発電装置を動作状態にし、
前記発電装置がオンしているときに、前記商用電源ラインと前記発電出力ラインとの間の交流電圧・周波数・位相の同期を合わせるように前記発電装置を制御し、
前記交流電圧・周波数・位相の同期合わせが実現したときに、前記第２のスイッチをオンし、次に発電出力を上げ商用電源受電量を、ゼロ又はマイナス（売電）にする
ことを特徴とする受電及び発電機能を有する電力供給方法。
【請求項３】
前記自動運転時間帯以外の時間帯において、
消費電力量が前記第１の設定値を上回り、一定期間後の消費電力量も前記第１の設定値以上であれば、
前記発電装置をオンし、
前記商用電源ラインと前記発電出力との同期をとり第２のスイッチをオンし、
電力配分制御により商用電源受電量を前記第1の設定値未満に制御する
ことを特徴とする請求項２記載の受電及び発電機能を有する電力供給方法。
【請求項４】
自動運転時間帯以外の時間帯において、
前記発電装置が動作状態で、消費電力量が前記第１の設定値を下回り、一定期間後の消費電力量も前記第１の設定値を下回っていれば、
前記第２のスイッチをオフに制御する
ことを特徴とする請求項２記載の受電及び発電機能を有する電力供給方法。
【請求項５】
前記自動運転設定時間帯以外の時間帯において、
前記発電装置が動作状態で蒸気使用量が前記第１の設定値を下回り、一定期間後の蒸気使用量も前記第１の設定値を下回っていれば、
前記第２のスイッチをオフに制御する
ことを特徴とする請求項２記載の受電及び発電並びに蒸気供給機能を有する電力・蒸気供給方法。
【請求項６】
前記発電装置が動作状態で、電力会社からの供給電力が停電となった場合、
単独運転検出装置が作動し、
第1のスイッチをオフ制御し、前記発電装置を連系運転から単独運転にし、
この制御により、無停電にて電力を前記負荷に供給し、
前記電力会社からの供給電力が復電した場合、電力供給ライン上のピックアップと発電出力供給ライン上のピックアップとの検出出力を利用して、前記発電装置を制御し、
発電出力の電圧・周波数・位相を制御して同期を取り、次に第1のスイッチをオンし、連系運転とし、
次に商用電源受電量と売電量をゼロにすべきゼロ運転制御に戻る制御を行う
ことを特徴とする請求項２記載の受電及び発電機能を有する電力供給方法。
【請求項７】
前記自動運転演算制御装置は
平日と休日の標準的な負荷パターンと、少なくとも直近３日間の平均負荷パターンとを記憶する記憶手段と、
前記平日と休日の標準的な負荷パターンと前記少なくとも直近３日間の平均負荷パターンとから当日の負荷パターンを予測する演算予測手段と、
前記演算予測手段によって予測された当日の負荷パターンに応じてマイクロガスタービンを制御する制御手段と、
を有することを特徴とする請求項１記載の受電及び発電機能を有する電力供給装置。
【請求項８】
前記自動運転演算制御が
平日と休日の標準的な負荷パターンを記録し、
記録した平日と休日の標準的な負荷パターンと少なくとも直近３日間の平均負荷パターンとから当日の負荷パターンを予測し、
マイクロガスタービンを制御する
ことを特徴とする請求項２乃至請求項６記載の受電及び発電機能を有する電力供給方法。
【請求項９】
自動運転時間帯以外の時間帯において、
蒸気使用量が前記第１の設定値を上回り、一定期間後の蒸気使用量も前記第１の設定値以上であれば、
発電装置をオンし、
商用電源ラインと前記発電出力との同期をとり、
第２のスイッチをオンし自家発電装置を一定出力に制御し、
蒸気を安定的に発生させる
ことを特徴とする蒸気供給方法。
【発明の詳細な説明】
【技術分野】
【０００１】
本発明は、電力会社からの商用電源の電力を受電するとともに、マイクロガスタービン自家発電装置を備え、省エネルギー化と安全性を図った受電及び発電機能と蒸気供給機能とを有する電力・蒸気併給装置及び方法に関する。
【背景技術】
【０００２】
電力供給システムにおいて、電力会社からの商用電源の電力を受電するとともに、発電装置を備え自家発電により電力と熱エネルギーをまかなうものが開発されている。この種の電力・熱併給システムで、特別高圧配電線路からの電力を使用する工場及びごみ焼却場では、「逆潮流あり」機能を持つ自家発電装置を備える場合がある。つまり、自家発電装置で発電した電力を電力会社に販売する機能をもつのである。
【０００３】
しかしこの「逆潮流あり」機能を持つシステムは、大規模なシステムに限られており、高圧一般配電線に接続されるシステムでは、存在しない。高圧一般配電線に接続されるシステムでは、通常は、「逆潮流なし」機能を持つ電力供給システムが採用されている。この「逆潮流なし」機能を持つ電力供給システムでは、自家発電装置の発電容量は、構内総負荷の1/2〜1/3程度の容量に設計するのが通常である。これは、発電容量が大きすぎると、逆電力継電器（ＲＰＲ）による不要停止（停電）が生じるために、このような停止を防止するためである。特にマイクロガスタービン発電機の場合は負荷の変動に弱く一定出力で発電させるのが通常であるため、ディーゼル発電機に較べると更に発電容量を小さくおさえる必要がある。
【０００４】
また、マイクロガスタービンの特徴として起動から発電開始まで１５分間程度かかり急激な電力消費の場合、需要を満たすことができず契約電力をオーバーすることがある。
【０００５】
マイクロガスタービンを複数台設置し運転した場合、台数制御により起動・停止が頻繁に行われることがある。マイクロガスタービンはできるだけ起動・停止を繰り返さないことが安定した運転に欠かせない。マイクロガスタービンの起動・運転を頻繁に行うと、エンジントラブルの発生につながりやすいといった問題があった。
【発明の開示】
【発明が解決しようとする課題】
【０００６】
上記したように、高圧一般配電線に接続されるシステムでは、「逆潮流なし」機能を持つ電力供給システムが採用されている。そして、マイクロガスタービン自家発電装置の発電容量は、構内総負荷の1/3〜1/4程度の容量に設計されている。
【０００７】
しかし構内総負荷の1/3〜1/4程度の容量であると、受電電力の容量が多くなり、経済的な効果が得られないのが現状である。一方最近では、「逆潮流あり」機能を持つ電力供給システムの研究開発も検討されている。
【０００８】
また、マイクロガスタービンの特徴として起動から発電開始まで１５分程度かかり、消費電力の需要を満たすことができない場合がある。
【０００９】
そこでこの発明は、マイクロガスタービン発電機において「逆潮流あり」機能を持つ電力供給システムを前提として、省エネルギー性、経済性、安全性の効果を発揮できるようにする。
【００１０】
また、自動運転演算制御装置により、安全に経済的に自動運転できるようにし、さらに、マイクロガスタービンを複数台運転する場合であっても、運転中に発生した余剰電力による不要停止が発生しない、受電及び発電機能を有する電力・蒸気併給装置及び方法を提供することを目的とする。
【課題を解決するための手段】
【００１１】
この発明の一実施の様態による受電及び発電機能を有する電力供給装置は、商用電源用ラインと負荷との間をオンオフする第１のスイッチと、発電装置の発電出力ラインと前記負荷との間をオンオフする第２のスイッチと、自動運転演算制御装置と、前記負荷の消費電力量を計測する消費電力量計測手段と、蒸気使用量計測手段と、前記自動運転演算制御装置の出力が予め設定した第1の時間になったとき又は前記消費電力量計測手段が消費電力量が増大する方向で、第１の設定値を計測したとき、又は蒸気使用量が第1の設定値を計測したときに、前記発電装置をオンする手段と、前記発電装置がオンしているときに、前記商用電源ラインと前記発電出力ラインとの間の交流電圧・周波数・位相の同期を合わせるように前記発電装置を制御する同期制御手段と、前記交流電圧・周波数・位相の同期合わせが実現したときに、前記第２のスイッチをオンし、次にマイクロガスタービン発電機を一定出力に制御し、商用電源受電量ゼロ又はマイナス（売電）とする制御手段とを備える。
【００１２】
また、この発明の第２の様態による受電及び発電機能を有する電力供給方法は、商用電源用ラインと負荷との間をオンオフする第１のスイッチと、発電装置の発電出力ラインと前記負荷との間をオンオフする第２のスイッチと、自動運転演算制御装置と、前記負荷の消費電力量を計測する消費電力量計測手段と、蒸気負荷の使用量を計測する蒸気使用量計測手段とを有し、前記自動運転演算制御装置の出力が予め設定した発電機起動時間になったとき、又は前記消費電力量計測手段が消費電力量が増大する方向で、第１の設定値を計測したとき、又は前記蒸気使用量が第１の設定量を計測したときに、前記発電装置を動作状態にし、前記発電装置がオンしているときに、前記商用電源ラインと前記発電出力ラインとの間の交流電圧・周波数・位相の同期を合わせるように前記発電装置を制御し、前記交流電圧・周波数・位相の同期合わせが実現したときに、前記第２のスイッチをオンし、次に発電出力を上げ商用電源受電量を、ゼロ又はマイナス（売電）にすることを特徴とする。
【発明の効果】
【００１３】
本発明によれば、装置の省エネルギー化、価格低減化、維持費用低減並びに安全確保を得ることができ、逆電力継電器（ＲＰＲ）を設ける必要がない。このために、逆電力継電器（ＲＰＲ）による不要停止（停電）が生じるという問題が解決できる。また、逆潮流あり、且つ受電ゼロ又はマイナス（売電）の運転方式とすることで、マイクロガスタービン発電機は、最大限の発電を行うことができ、その結果稼動率が向上する。更に負荷率も上がるために発電効率、蒸気発生効率も向上する。よって、省エネルギー性、経済性がよくなる。
【００１４】
また、自動運転演算制御装置が設定した当日の予測負荷パターンにより、安全に経済的に自動運転し、さらに、マイクロガスタービンを複数台運転する場合でも、予測負荷パターンから起動・停止をくり返さない運転パターンを自動演算して運転制御し、常に安定した電力を供給する受電及び発電機能を有する電力・蒸気併給装置及び方法を提供することができる。
【発明を実施するための最良の形態】
【００１５】
以下この発明の実施の形態を図面を参照して説明する。
【００１６】
図１において、１０１は、電力会社であり、電力会社１０１からの電力線は、スイッチＳＷ１を介して変圧装置１０２に接続されている。変圧装置１０２からの商用電源ラインは、負荷３００に接続されている。負荷３００は、工場、ホテル、病院などの負荷施設である。
【００１７】
この施設には、マイクロガスタービン自家発電装置２０１が装備されている。発電装置２０１の自家発電出力ラインは、スイッチＳＷ２を介して商用電源ラインに接続されている。商用電源ライン及び自家発電出力ラインには、それぞれピックアップセンサ１０３、２０２が取り付けられている。このセンサ１０３、２０２は、交流信号の電圧・周波数・位相を検出するもので、検出信号は、統合制御部４００に入力されている。
【００１８】
ところで負荷３００の消費電力量は、電力消費量計測装置４０１により計測されており、その計測データは、統合制御部４００に入力されている。統合制御部４００は、電力消費量に応じて、発電装置２０１の起動を行う。また発電装置２０１が起動されているとき、所定の条件のもとで、スイッチＳＷ１，ＳＷ２のオンオフ制御を行う。また、統合制御部４００には、単独運転検出装置４５２からの制御信号及び自動運転演算制御装置４５０からの運転情報も与えられている。さらにまた、各種の設定を行う場合、その設定情報を与えるための操作部（図示せず）の出力も統合制御部４００に与えられている。
【００１９】
負荷３０１の蒸気使用量は蒸気使用量計測装置４０２により計測されており、その計測データは統合制御部４００に入力されている。統合制御部４００は蒸気使用量に応じて発電装置２０１の制御を行う。
【００２０】
図２と図３は、上記の装置の動作を制御する統合制御部４００の働きを示すフローチャートである。今、スイッチＳＷ１がオン、スイッチＳＷ２がオフであり、負荷３００は商用電源からの電力を使用しているものとする。自動運転演算制御装置４５０が予め設定した発電装置２０１の運転開始時間（例えばＡＭ８時）になったとき、統合制御部４００は、発電装置２０１を動作状態にする（スッテプＳ２）。統合制御部４００には、ピックアップセンサ１０３、２０２からの検出信号が入力されている。そこで統合制御装置４００は、前記商用電源ラインと発電出力ラインとの間の交流電圧・周波数・位相を合わせるように前記発電装置２０１を制御する、交流電圧・周波数・位相の同期合わせが実現したとき（スッテプＳ３）に第2のスイッチＳＷ２をオンし（スッテプＳ４）、次に前記発電出力を上げて一定出力し、統合制御部４００の電力配分制御部の制御のもとで商用電力の受電量を常に零又はマイナス（売電）にする制御を行う（スッテプＳ５）。設定運転時間が終了すると（スッテプＳ６）、負荷の消費電力量が設定値を超えているかどうか判断し（スッテプＳ７）、設定値を超えていればそのまま発電機の運転を継続する（スッテプＳ８）。設定値を超えていなければ、上記使用量が設定値を超えているかどうか判断する（スッテプＳ９）。スッテプＳ９で蒸気使用量が設定値を超えていれば、そのまま発電機の運転を継続する（スッテプＳ８）。スッテプＳ９で蒸気使用量が設定値を超えていなければ、電力配分制御部によって発電量を下げて、受電量を上げていく（スッテプＳ１０）。発電量がゼロになったら（スッテプＳ１１）、スイッチＳＷ２をオフ制御し（ステップＳ１２）、発電を停止する（スッテプＳ１３）。
【００２１】
このため、マイクロガスタービン発電機は、最大限の発電を行うことができ、その結果稼動率が向上する。更に負荷率も上がるために発電効率と蒸気発生効率も向上する。よって省エネルギー性、経済性がよくなる。
【００２２】
統合制御部４００は、また電力消費量に応じて発電装置２０１のガバナ制御を行い、負荷に対して安定した電力供給を行う。
【００２３】
自動運転演算制御装置４５０が設定する運転時間帯以外の時間帯（例えばＰＭ１０：００〜ＡＭ８：００）の場合を説明する。図４には、上記の装置の自動運転演算制御装置４５０が設定する運転時間帯以外の時間帯での、動作例を示すタイミングチャートを示している。消費電力量を計測し（スッテプＳ１４）、今時点ｔa１にて電力消費量がＷ１を上回ったとする（スッテプ１５）。この状態では直ぐに発電装置の起動は行わない。一定時間Ｔ１、電力消費量の監視が行われる（スッテプＳ１６）。一定時間Ｔa１経過したとき（時点ｔa２）電力消費量がＷ１以上であれば（スッテプＳ１７）統合制御部４００は、発電装置２０１を起動し（スッテプＳ１９）、ピックアップセンサ１０３、２０２の検出信号により前記商用電源ラインと前記発電出力ラインとの間の交流電圧・周波数・位相あわせ制御（同期状態への引き込み）を行い、同期が取れた状態（スッテプＳ２０）で第2のスイッチＳＷ２をオンし（スッテプＳ２１）、電力配分制御部により発電機出力の一定制御をする（スッテプＳ２２）。もし、スッテプＳ１５およびスッテプＳ１７で消費電力量が設定値Ｗ１を超えていなければ、スイッチＳＷ１がオン、スイッチＳＷ２がオフの状態が維持される。
【００２４】
今、時点ｔa７にて消費電力量を計測し（スッテプＳ２３）、電力消費量がＷ１を下回ったとする（スッテプＳ２４）。この状態では、直ぐにスイッチＳＷ２の制御は行われない。一定時間Ｔa４、電力消費量の監視が行われる（スッテプＳ２５）。一定時間Ｔa４経過したとき（時点ｔa８）電力消費量がＷ１より低い状態であれば（スッテプＳ２６）、次に上記使用量を計測する（スッテプＳ２７）。蒸気使用量がＷ２以下かどうか判断し（スッテプＳ２８）、蒸気使用量がＷ２以下であれば、一定時間Ｔa５蒸気使用量の監視が行われる（スッテプＳ２９）。一定時間Ｔa５経過したとき、蒸気使用量が設定値Ｗ２以下かどうか判断し（スッテプＳ３０）、蒸気使用量がＷ２以下であれば、電力配分制御部により発電量を下げて発電量をゼロとする（スッテプＳ３２）。次に、スイッチＳＷ２の状態が制御される。つまり、スイッチＳＷ２がオフされる（スッテプＳ３０）。さらに、一定時間の経過の後、発電装置２０１がオフされる（スッテプＳ３１）。もし、スッテプＳ２４およびスッテプＳ２６で電力消費量が設定値Ｗ１を超えて、スッテプＳ２８およびスッテプＳ３０で蒸気使用量が設定値Ｗ２を超えているなら、スイッチＳＷ１がオン、スイッチＳＷ２がオンの状態が維持される。
【００２５】
蒸気供給について自動運転演算制御装置４５０が設定する運転時間帯以外の時間帯の場合を説明する。図５には、上記の装置の自動運転演算制御装置４５０が設定する運転時間帯以外の時間帯での、別の動作例を示すタイミングチャートを示している。今時点ｔb１にて、蒸気使用量を計測し（スッテプＳ３５）、電力消費がＷ１未満で、蒸気使用量がＷ２を上回ったとする（スッテプＳ３６）。この状態では直ぐに発電装置の起動は行わず、一定時間Ｔb１蒸気使用量の監視が行われる（スッテプＳ３７）。一定期間Ｔb１経過したとき（時点ｔb２）蒸気使用量がＷ２以上であれば（スッテプＳ３８）、統合制御部４００は発電装置２０１を起動し（スッテプＳ４０）、ピックアップセンサ１０３、２０２の検出信号により前に商用電源ラインと前記発電出力ラインとの間の交流電圧、周波数、位相あわせ制御（周期状態への引き込み）を行い、周期が取れた状態（スッテプＳ４１）で第2のスイッチＳＷ２をオンし（スッテプＳ４２）必要蒸気量を発生供給するための発電出力一定制御する（スッテプＳ４３）。発電余剰電力は売電することとなる。もし、スッテプＳ３６およびスッテプＳ３８で蒸気使用量が設定値Ｗ２を超えていなければ、スイッチＳＷ１がオン、スイッチＳＷ２がオフの状態が維持される。
【００２６】
今時点ｔb７にて、蒸気使用量を計測し（スッテプＳ４４）、蒸気使用量がＷ２を下回ったとする（スッテプＳ４５）。この状態では直ぐにスイッチＳＷ２の制御は行われず、一定時間Ｔb４蒸気使用量の監視が行われる（スッテプＳ４６）。一定時間Ｔb４経過したとき（時点ｔb８）蒸気使用量がＷ２より低い状態であれば（スッテプＳ４７）、次に消費電力量を計測し（スッテプＳ４８）、消費電力量がＷ１以下かどうか判断する（スッテプＳ４９）。スッテプＳ４９で消費電力量がＷ１以下であれば、一定時間Ｔb５消費電力量の監視が行われる（スッテプＳ５０）一定時間Ｔb５経過したとき、消費電力量がＷ１より低い状態であれば（スッテプＳ５１）、統合制御部４００により発電出力を下げて発電出力をゼロとする（スッテプＳ５３）。次に、スイッチＳＷ２の状態が制御される。つまり、ＳＷ２がオフされる（スッテプＳ５４）。さらに、一定時間経過の後、発電装置２０１がオフされる（スッテプＳ５５）。もし、スッテプＳ４５およびスッテプＳ４７で蒸気使用量が設定値Ｗ２を超えて、スッテプＳ４９およびスッテプＳ５１で消費電力量が設定値Ｗ１を超えているなら、スイッチＳＷ１がオン、スイッチＳＷ２がオンの状態が維持される。
【００２７】
発電装置２０１が動作状態で、電力会社１０１からの電力供給が停止となった場合、単独運転検出装置４５２は、電力系統のインピーダンス上昇を負荷側から検知し、停電状態であることを検出する。この時、単独運転検出装置４５２は統合制御部４００に制御信号を送信し、スイッチＳＷ１をオフ制御し、発電装置２０１を単独運転にする。電力会社１０１からの電力供給が再開した場合、単独運転検出装置４５２は電力供給ライン上のピックアップセンサ１０３の検出出力から復電したことを検出する。そして、ピックアップセンサ１０３とピックアップセンサ２０２の検出出力から、発電装置２０１を制御し、発電出力の電圧・周波数・位相を制御して同期を取る。同期が取れたら、スイッチＳＷ１をオン制御し、発電装置２０１を連系運転にする。
【００２８】
図６は、上記の装置における自動運転演算制御装置の動作を説明するフローチャートである。自動運転演算制御装置４５０では、予め平日と休日の標準的な負荷パターンが算出されている。負荷パターンは電力消費計測装置４０１で計測され、統合制御部４００を介して自動運転演算制御装置４５０が受信する（スッテプＳa１）。自動運転演算制御装置４５０は、送信された負荷パターンから少なくとも直近の３日間の平均負荷パターンを算出し（スッテプＳa２）、算出した平均負荷パターンと、記録されている平日もしくは休日の平均負荷パターンとを用いて、当日の負荷パターンを演算予測する（スッテプＳa３）。予測した当日の負荷パターンから、当日の発電装置２０１の運転方法を決定し（スッテプＳa４）、設定した運転開始時間になったら（スッテプＳa５）、決定した運転方法に応じた制御信号を統合制御部に送信する（スッテプＳa６）。設定運転を終了する時間になったら（スッテプＳa７）、発電装置を停止させるようにする（スッテプＳa８）。
【００２９】
なお、上記の実施形態では、発電装置２０１を１台用いているが、複数用いても良い。その場合、自動運転演算制御装置４５０は予測した負荷パターンに従って、起動・停止をくり返す発電装置が最小となるように運転パターンを自動演算して運転制御し、常に安定した電力を供給する。
【００３０】
上記のように、本発明によれば、装置の省エネルギー化、価格低減化、維持費用低減並びに安全確保を得ることができ、逆電力継電器（ＲＰＲ）を設ける必要がない。このために、逆電力継電器（ＲＰＲ）による不要停止（停電）が生じるという問題が解決できる。また、逆潮流あり、且つ受電ゼロ又はマイナス（売電）の運転方式とすることで、発電装置２０１は、最大限の発電を行うことができ、その結果稼動率が向上する。更に負荷率も上がるために発電効率、蒸気発生効率も向上する。よって、省エネルギー性、経済性がよくなる。
【００３１】
また、自動運転演算制御装置４５０が設定した当日の予測負荷パターンにより、安全に経済的に自動運転し、さらに、発電装置２０１を複数台運転する場合でも、予測負荷パターンから起動・停止をくり返さない運転パターンを自動演算して運転制御し、常に安定した電力を供給する受電及び発電機能を有する電力・蒸気併給装置及び方法を提供することができる。
【図面の簡単な説明】
【００３２】
【図１】この発明の一実施の形態を示す構成説明図。
【図２】図１の装置の動作例を説明するために示したフローチャート。
【図３】図２に続くフローチャートを示す。
【図４】図１の装置の、第１の動作例を説明するために示した動作説明図。
【図５】図１の装置の、第２の動作例を説明するために示した動作説明図。
【図６】図１に示す装置の自動運転演算制御装置の動作を説明するフローチャート。
【符号の説明】
【００３３】
ＳＷ１，ＳＷ２…スイッチ、１０１…電力会社、１０２…変圧装置、１０３、２０２…ピックアップセンサ、２０１…発電装置、３００…電力負荷、３０１…蒸気負荷、４００…統合制御部、４０１…消費電力計測装置、４０２…蒸気使用量計測装置、４５０…自動運転演算制御装置、４５２…単独運転検出装置。
【図１】
2006050681.tif 000003
【図２】
2006050681.tif 000004
【図３】
2006050681.tif 000005
【図４】
2006050681.tif 000006
【図５】
2006050681.tif 000007
【図６】
2006050681.tif 000008